(57)【特許請求の範囲】
【請求項１】
液体化粧料が収納される外周部にキャップ嵌合部が形成された口部を有する有底状の収納容器本体と、この収納容器本体の口部に係止された塗布具を扱くことのできるシゴキ部材と、前記収納容器本体の口部のキャップ嵌合部と着脱自在に嵌合する嵌合用メネジを口元に形成したキャップと、このキャップに垂下され収納時には前記収納容器本体内に収納される塗布具を先端に有する塗布軸とから構成される液体化粧料の収納容器において、前記嵌合用メネジと螺合する嵌合用オネジを形成したキャップ嵌合部を有する口部と前記収納容器本体がアルミ等の金属材で一体成型され、さらにシゴキ部材の外周部と収納容器本体の口部内側に、この口部内側の形状を利用したシゴキ部材の抜脱防止機構を備えていることを特徴とする液体化粧料等の収納容器。
【請求項２】
液体化粧料が収納される外周部にキャップ嵌合部が形成された口部を有する有底状の収納容器本体と、この収納容器本体の口部に係止された塗布具を扱くことのできるシゴキ部材と、前記収納容器本体の口部のキャップ嵌合部と着脱自在に嵌合する嵌合用メネジを口元に形成したキャップと、このキャップに垂下され収納時には前記収納容器本体内に収納される塗布具を先端に有する塗布軸とから構成される液体化粧料の収納容器において、前記嵌合用メネジと螺合する複数個の嵌合用突起を形成したキャップ嵌合部を有する口部と前記収納容器本体がアルミ等の金属材で一体成型され、さらにシゴキ部材の外周部と収納容器本体の口部内側に、この口部内側の形状を利用したシゴキ部材の抜脱防止機構を備えていることを特徴とする液体化粧料等の収納容器。
【発明の詳細な説明】
【０００１】
【産業上の利用分野】
本発明はマスカラ、アイライナー、ネイルカラーなどの液体化粧料を収納する液体化粧料等の収納容器に関するものである。
【０００２】
【従来の技術】
従来の液体化粧料収納容器は、液体化粧料が収納される外周部にキャップ嵌合部が形成された口部を有する有底状の収納容器本体と、この収納容器本体の口部に係止された塗布具を扱くことのできるシゴキ部材と、前記収納容器本体の口部のキャップ嵌合部と着脱自在に嵌合する嵌合用メネジを口元に形成したキャップと、このキャップに垂下され収納時には前記収納容器本体内に収納される塗布具を先端に有する塗布軸とから構成されている。
【０００３】
【本発明が解決しようとする課題】
従来の液体化粧料収納容は、キャップと収納容器本体を着脱自在に嵌合させる手段としてオネジとメネジを螺合させているが、そのためオネジ成型の利便さからこのオネジを有する口部材と液体化粧料を収納する収納容器本体とは別部品となっていた。
【０００４】
そのため部品点数や組み立て工程を削減することができず、コストダウンや軽量化ができないという欠点があった。
【０００５】
さらに揮発性のある液体化粧料の場合、口部材と収納容器本体のわずかな隙間から気密性を損なうという欠点があった。
【０００６】
また、口部材と収納容器本体を一体成型した場合、使用時にシゴキ部材が抜脱する危険性があった。
【０００７】
本発明は以上のような従来の欠点に鑑み、口部材と収納容器本体がアルミ等の金属材で一体成型にすることにより高い気密性が得られるとともにコストダウンや軽量化ができ、さらにシゴキ部材の抜脱する危険性のない液体化粧料収納容器を提供することを目的としている。
【０００８】
【課題を解決するための手段】
上記課題を解決するため、本発明はキャップ口元に形成された嵌合用メネジと螺合する嵌合用オネジを形成したキャップ嵌合部を有する口部と収納容器本体を一体成型とする手段、あるいは嵌合用メネジと螺合する複数個の嵌合用突起を形成したキャップ嵌合部を有する口部と収納容器本体を一体成型とする手段において、シゴキ部材の外周部と収納容器本体の口部内側に、この口部内側の形状を利用したシゴキ部材の抜脱防止機構を備えるという手段を用いている。
【０００９】
【作用】
上記のような手段によって構成された液体化粧料の収納容器は、嵌合用メネジと螺合する嵌合用オネジを形成したキャップ嵌合部を有する口部と収納容器本体を一体成型とする、あるいは嵌合用メネジと螺合する複数個の嵌合用突起を形成したキャップ嵌合部を有する口部と収納容器本体を一体成型とすることによって、高い気密性が得られるとともにコストダウンや軽量化を可能とし、またそのどちらにおいてもシゴキ部材の抜脱防止機構を備えることにより、シゴキ部材の抜脱を阻止する。
【００１０】
【発明の実施例】
以下、図面に示す実施例により本発明を詳細に説明する。
【００１１】
図１ないし図４に示す発明の第１の実施例において、１は収納容器本体で、この収納容器本体１の内部には液体化粧料２が収納され、さらに上部には口部３が一体成型されている。
【００１２】
この収納容器本体１は、アルミ等の板状の金属材からプレスあるいはロール加工等により一体成型され、肉厚は全体にわたってほぼ均等になるため口部３に形成された嵌合用オネジ６のネジ山の内側は凹形状となる。
【００１３】
４はシゴキ部材で、このシゴキ部材４はゴム等の軟質材で形成され前記収納容器本体１の口部３に抜脱防止機構１２によって抜け出し不能に係止され、さらにこのシゴキ部材４の内面には後記する塗布軸９及び塗布具１０に付いた余剰の液体化粧料２をしごいて収納容器本体１内に戻すことのできるシゴキ部５が形成されている。
【００１４】
６は前記口部３の外周に形成された嵌合用オネジで、この嵌合用オネジ６はキャップ７の口元に形成された嵌合用メネジ８が着脱自在に嵌合するように形成されている。
【００１５】
前記キャップ７には塗布軸９が垂下され、この塗布軸９の先端には塗布具１０を形成し、この塗布具１０は収納時には収納容器本体１内の液体化粧料２に触れた状態で収納され、使用時には液体化粧料２を含んだ状態で塗布軸９と共に収納容器本体１より引きぬかれて化粧に使用されるものである。
【００１６】
１１はキャップ７に係止されたゴム等の軟質材で形成されたパッキンで、収納時にはシゴキ部材４をセットした口部３と前記キャップ７の間を気密状態とすることができる。
【００１７】
１２は抜脱防止機構で、この抜脱防止機構１２は前記収納容器本体１の口部３の内側に形成された凹形状１６と、この凹形状１６と係合する凸形状１５を外周部に形成したシゴキ部材４とからなり、前記収納容器本体１からシゴキ部材４を抜け出し不能に係止することができる。
【００１８】
このように構成された液体化粧料収納容器１３は、従来の容器と同様に使用できる。
【００１９】
【発明の異なる実施例】
次に本発明の異なる実施例につき説明する。なお、これらの説明にあたって前記発明の第１の実施例と同一構成部分には同一符号を付して重複する説明を省略する。
【００２０】
図５ないし図１０に示す発明の第２の実施例において、前記発明の第１の実施例と主に異なる点は口部３Ａの筒状に形成された上部外周に間欠的に配置されたそれぞれがほぼ半球に近い形状に形成された複数個の嵌合用突起１４で、この嵌合用突起１４は収納時に前記キャップ７に形成された嵌合用メネジ８と対応する部位に形成され、さらにそれぞれの嵌合用突起１４は螺旋状に配置されていることによって、嵌合用メネジ８と螺合してキャップ７と口部３Ａを着脱自在とすることができるように形成した点である。
【００２１】
さらに前記口部３Ａに形成されたほぼ半球に近い複数個の嵌合用突起１４の内側に形成された凹形状１６Ａと、この凹形状１６Ａと係合する複数個の凸形状１５Ａを外周部に形成したシゴキ部材４Ａとからなる収納容器本体からシゴキ部材４Ａを抜け出し不能に係止できる抜脱防止機構１２Ａを備えた液体化粧料収納容器１３Ａとしてもよい。
【００２２】
図１１に示す実施例において、第２の実施例と異なる点は嵌合用突起１４Ａが口部３Ｂの上部外周に一周以上に渡って配置された場合に、口部３Ｂの軸心方向に対して上下の嵌合用突起１４Ａが一線上ではない位置に形成した点で、このように上下の嵌合用突起１４Ａを段違いの状態で配置することで上下の嵌合用突起１４Ａによってその間に谷間が形成されないように構成されている。
【００２３】
さらに前記口部３Ｂの軸心方向に対して上下の一線上ではない位置に形成された嵌合用突起１４Ａの内側に形成された凹形状と、この凹形状と係合する位置に形成された凸形状を外周部に形成したシゴキ部材４Ｂとからなる抜脱防止機構を備えた液体化粧料収納容器１３Ｂとしてもよい。
【００２４】
なお以上の説明において嵌合用突起１４および１４Ａの形状はほぼ半球状としたが、これに限らず半楕円状等の形状であってもさしつかえなく、小山状あるいはドーム状等の頂端がなだらかに形成されたものであればどのような形状であっても良い。
【００２５】
【発明の効果】
本発明は、以上説明したように構成されているので、以下に記載されるような効果を奏する。
【００２６】
（１）アルミ等の金属材で一体成型することにより、液体化粧料収納容器の重量や組み立てコストが軽減できる。
【００２７】
（２）上記（１）により、収納容器本体と口部材とのわずかな隙間から気密性を損なうことがなく高気密性が得られるため、液体化粧料の揮発性を問わない。
【００２８】
（３）さらに嵌合用メネジと螺合するキャップ嵌合部を複数個の嵌合用突起から形成した口部とすることで、より容易に成型することができる。
【００２９】
（４）一体成型とする手段が板材よりプレスあるいはロール加工によってなされるため、量産が可能となる。
【００３０】
（５）また、一体成型の場合に起こりえるシゴキ部材の抜脱も口部内側の形状を利用した抜脱防止機構によりいたって容易にかつ、確実に阻止することができる。
【００３１】
（６）実施例２または実施例３において、嵌合用突起を形成したキャップ嵌合部としたため、このキャップ嵌合部に付着した液体化粧料をいたって容易に拭き取ることができる。
【図面の簡単な説明】
【図１】発明の第１の実施例を示す断面図である。
【図２】発明の第１の実施例の正面図である。
【図３】発明の第１の実施例のシゴキ部材の一部破断面図である。
【図４】発明の第１の実施例の口部の一部破断面図である。
【図５】発明の第２の実施例を示す断面図である。
【図６】発明の第２の実施例の正面図である。
【図７】発明の第２の実施例のシゴキ部材の一部破断面図である。
【図８】発明の第２の実施例の口部の一部破断面図である。
【図９】発明の第２の実施例の図６のＡ部より見た図である。
【図１０】発明の第２の実施例のシゴキ部材がセットされた状態の口部の斜視図である。
【図１１】発明の第３の実施例の正面図である。
【符号の説明】
１：収納容器本体
２：液体化粧料
３、３Ａ、３Ｂ：口部
４、４Ａ、４Ｂ：シゴキ部材
５：シゴキ部
６：嵌合用オネジ
７：キャップ
８：嵌合用メネジ
９：塗布軸
１０：塗布具
１１：パッキン
１２、１２Ａ、：抜脱防止機構
１３、１３Ａ、１３Ｂ：液体化粧料収納容器
１４、１４Ａ：嵌合用突起
１５、１５Ａ：抜脱防止機構の凸形状
１６、１６Ａ：抜脱防止機構の凹形状
【図１】
0003851674.tif 000002
【図２】
0003851674.tif 000003
【図３】
0003851674.tif 000004
【図４】
0003851674.tif 000005
【図５】
0003851674.tif 000006
【図６】
0003851674.tif 000007
【図７】
0003851674.tif 000008
【図８】
0003851674.tif 000009
【図９】
0003851674.tif 000010
【図１０】
0003851674.tif 000011
【図１１】
0003851674.tif 000012